(57)【要約】  本開示はパスロスを決定する方法および装置を提供し、ここで、前記方法はユーザ機器に適用され、前記ユーザ機器は狭帯域モノのインターネット機器に属し、前記方法は、ダウンリンク狭帯域基準信号（ＮＲＳ）の送信パワーを決定することと、狭帯域基準信号受信パワー（ＮＲＳＲＰ）の測定値を決定することと、基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定することとを含む。本開示によって提供されたパスロスを決定する方法を使用して、ユーザ機器の送信パワーを決定するプロセスで、基地局の構成情報送信負担を低減し、不必要な再送信を回避し、狭帯域モノのインターネットのＵＥの電力消費を低減することができる。【選択図】図１
2021506188.tif 000002
【特許請求の範囲】
【請求項１】
パスロスを決定する方法であって、
ユーザ機器に適用され、前記ユーザ機器は狭帯域モノのインターネット機器に属し、前記方法は、
ダウンリンク狭帯域基準信号（ＮＲＳ）の送信パワーを決定することと、
狭帯域基準信号受信パワー（ＮＲＳＲＰ）の測定値を決定することと、
基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定することとを含むことを特徴とする、前記パスロスを決定する方法。
【請求項２】
前記ダウンリンク狭帯域基準信号の送信パワーおよび前記狭帯域基準信号受信パワーの測定値に従って、前記基地局と前記ユーザ機器との間のパスロスを決定することは、
プリセットの上位層フィルタ係数および前記狭帯域基準信号受信パワーの測定値に従って、フィルタリング後の基準信号受信パワーを決定することと、
前記ダウンリンク狭帯域基準信号の送信パワーと前記フィルタリング後の基準信号受信パワーとの間の差に従って、前記パスロスを決定することとを含むことを特徴とする、
請求項１に記載のパスロスを決定する方法。
【請求項３】
前記方法は、
前記ユーザ機器のプリセットのパラメータ情報の変更に従って、前記プリセットの上位層フィルタ係数を動的に決定することであって、前記プリセットのパラメータ情報は、プリセットの機器性能パラメータ、ベアラサービスのサービスタイプのうちの少なくとも１つを含むことをさらに含むことを特徴とする、
請求項２に記載のパスロスを決定する方法。
【請求項４】
前記プリセットの上位層フィルタ係数の範囲は、０〜１の値であることを特徴とする、
請求項２または３に記載のパスロスを決定する方法。
【請求項５】
前記プリセットの上位層フィルタ係数および前記狭帯域基準信号受信パワーの測定値に従って、フィルタリング後の基準信号受信パワーを決定することは、
値１と前記プリセットの上位層フィルタ係数との差の絶対値と、隣接する前の上位層フィルタリング後の基準信号受信パワーとの積を、第１のパラメータ情報として決定することと、
前記プリセットの上位層フィルタ係数と現在の基準信号受信パワーの測定値との積を、第２のパラメータ情報として決定することと、
前記第１のパラメータ情報と前記第２のパラメータ情報との和を、前記フィルタリング後の基準信号受信パワーとして決定することとを含むことを特徴とする、
請求項２または３に記載のパスロスを決定する方法。
【請求項６】
前記ダウンリンク狭帯域基準信号の送信パワーおよび前記狭帯域基準信号受信パワーの測定値に従って、前記基地局と前記ユーザ機器との間のパスロスを決定することは、
前記ダウンリンク狭帯域基準信号の送信パワーと前記狭帯域基準信号受信パワーの測定値との間の差に従って、前記パスロスを決定することを含むことを特徴とする、
請求項１に記載のパスロスを決定する方法。
【請求項７】
パスロスを決定する装置であって、
ユーザ機器に配置され、前記ユーザ機器は狭帯域モノのインターネット機器に属し、前記装置は、
ダウンリンク狭帯域基準信号（ＮＲＳ）の送信パワーを決定するように構成される第１の決定モジュールと、
狭帯域基準信号受信パワー（ＮＲＳＲＰ）の測定値を決定するように構成される第２の決定モジュールと、
基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定するように構成されるパスロス推定モジュールとを含むことを特徴とする、前記パスロスを決定する装置。
【請求項８】
前記パスロス推定モジュールは、
プリセットの上位層フィルタ係数および前記狭帯域基準信号受信パワーの測定値に従って、フィルタリング後の基準信号受信パワーを決定するように構成されるフィルタパワー決定サブモジュールと、
前記ダウンリンク狭帯域基準信号の送信パワーと前記フィルタリング後の基準信号受信パワーとの間の差に従って、前記パスロスを決定するように構成されるパスロス推定サブモジュールとを含むことを特徴とする、
請求項７に記載のパスロスを決定する装置。
【請求項９】
前記装置は、
前記ユーザ機器のプリセットのパラメータ情報の変更に従って、前記プリセットの上位層フィルタ係数を動的に決定するように構成されるフィルタ係数決定モジュールであって、前記プリセットのパラメータ情報は、プリセットの機器性能パラメータ、ベアラサービスのサービスタイプのうちの少なくとも１つを含むフィルタ係数決定モジュールをさらに含むことを特徴とする、
請求項８に記載のパスロスを決定する装置。
【請求項１０】
前記プリセットの上位層フィルタ係数の範囲は、０〜１の値であることを特徴とする、
請求項８または９に記載のパスロスを決定する装置。
【請求項１１】
前記フィルタパワー決定サブモジュールは、
値１と前記プリセットの上位層フィルタ係数との差の絶対値と、隣接する前の上位層フィルタリング後の基準信号受信パワーとの積を、第１のパラメータ情報として決定するように構成される第１のパラメータ決定ユニットと、
前記プリセットの上位層フィルタ係数と現在の基準信号受信パワーの測定値との積を、第２のパラメータ情報として決定するように構成される第２のパラメータ決定ユニットと、
前記第１のパラメータ情報と前記第２のパラメータ情報との和を、前記フィルタリング後の基準信号受信パワーとして決定するように構成されるフィルタパワー決定ユニットとを含むことを特徴とする、
請求項８または９に記載のパスロスを決定する装置。
【請求項１２】
前記パスロス推定モジュールは、前記ダウンリンク狭帯域基準信号の送信パワーと前記狭帯域基準信号受信パワーの測定値との間の差に従って、前記パスロスを決定するように構成されることを特徴とする、
請求項７に記載のパスロスを決定する装置。
【請求項１３】
コンピュータ命令が記憶された非一時的なコンピュータ読み取り可能な記憶媒体であって、
前記命令がプロセッサによって実行される時に、請求項１ないし６のいずれか一項に記載のパスロスを決定する方法のステップを実現すること特徴とする、前記非一時的なコンピュータ読み取り可能な記憶媒体。
【請求項１４】
パスロスを決定する装置であって、
プロセッサと、
プロセッサ実行可能な命令を記憶するように構成されるメモリとを含み、
前記プロセッサは、
ダウンリンク狭帯域基準信号（ＮＲＳ）の送信パワーを決定し、
狭帯域基準信号受信パワー（ＮＲＳＲＰ）の測定値を決定し、
基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定するように構成されることを特徴とする、前記パスロスを決定する装置。
【発明の詳細な説明】
【技術分野】
【０００１】
本開示は、通信技術分野に関し、特に、パスロスを決定する方法および装置に関する。
【背景技術】
【０００２】
無線通信技術の発展に伴い、移動通信ネットワークは５Ｇネットワークに向けて徐々に進化する。ロングタームエボリューション（ＬＴＥ：Ｌｏｎｇ  Ｔｅｒｍ  Ｅｖｏｌｕｔｉｏｎ）に基づく狭帯域モノのインターネット（ＮＢ−ＩｏＴ：Ｎａｒｒｏｗ  Ｂａｎｄ  Ｉｎｔｅｒｎｅｔ  ｏｆ  Ｔｈｉｎｇｓ）は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）の決議を通過し、５Ｇネットワーク通信システムの低電力ワイドエリアネットワークの標準になっている。狭帯域モノのインターネットは、低データレート、大規模な端末数および広いカバレッジ要件などの通常の適用シナリオに対して、深い屋内カバレッジ、低コスト、低電力消費および広い接続性などの特徴を有し、スマートシティ、ウェアラブル機器、スマートホームおよびスマートメータなどのモノのインターネットアプリケーションに幅広い適用の展望がある。
【０００３】
パワー制御は無線通信システムの１つの重要な機能であり、基地局がＵＥによって送信された情報を受信することができることを確保するために、ＵＥは、基地局によって送信されたパワー制御指示情報に従って、自体の送信パワーを制御する必要がある。
【０００４】
ＬＴＥシステムにおいて、ＵＥのアップリンク送信パワーは、基地局とＵＥとの間のパスロス（ｐａｔｈｌｏｓｓ、パスロスと略称する）に従ってリアルタイムでスケジューリングされる。関連技術では、ＵＥは、ダウンリンク基準信号の送信パワーと上位層フィルタリング後の基準信号受信パワーの測定値との差を計算することにより、ＵＥと基地局との間のチャネルパスロスを決定する。前記ＵＥのアップリンク送信パワーを決定するプロセスでは、ＵＥが前記上位層フィルタパラメータに従って、前記上位層フィルタリング後の基準信号受信パワーの測定値を計算するように、ＵＥは、基地局によって送信されたシステム情報に従ってダウンリンク基準信号の送信パワーを決定するだけでなく、基地局によって送信された構成情報により上位層フィルタのフィルタパラメータを決定する必要がある。
【０００５】
前記狭帯域モノのインターネットの特徴によれば、狭帯域モノのインターネットにおけるユーザ機器（ＵＥ：Ｕｓｅｒ  Ｅｑｕｉｐｍｅｎｔ）は、データ伝送レートが低く、数が多く、チャネル品質が悪いなどの特徴を有し、通常、静的または低速移動のシナリオに適用され、狭帯域モノのインターネットにおけるＵＥが関連技術のパワー制御方式を依然として使用すると、必然的にＵＥの数が多いため、基地局によって送信される構成情報のロードが増加し、さらに、システム制御チャネルのロードも増加し、同時に、狭帯域ＵＥのチャネル品質が悪いため、必然的に、ハイロード構成情報の再送信回数が発生し、システムリソースが浪費されると同時に、ＵＥの電力消費も増加される。
【発明の概要】
【発明が解決しようとする課題】
【０００６】
関連技術で存在する問題を克服するために、本開示の実施例は、基地局の構成情報送信負担を低減し、不必要な再送信を回避し、狭帯域モノのインターネットのＵＥの電力消費を低減する、パスロスを決定する方法および装置を提供する。
【課題を解決するための手段】
【０００７】
本開示の実施例の第１の態様によれば、ユーザ機器に適用される、パスロスを決定する方法を提供し、前記ユーザ機器は狭帯域モノのインターネット機器に属し、前記方法は、
ダウンリンク狭帯域基準信号（ＮＲＳ）の送信パワーを決定することと、
狭帯域基準信号受信パワー（ＮＲＳＲＰ）の測定値を決定することと、
基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定することとを含む。
【０００８】
例示的に、前記ダウンリンク狭帯域基準信号の送信パワーおよび前記狭帯域基準信号受信パワーの測定値に従って、前記基地局と前記ユーザ機器との間のパスロスを決定することは、
プリセットの上位層フィルタ係数および前記狭帯域基準信号受信パワーの測定値に従って、フィルタリング後の基準信号受信パワーを決定することと、
前記ダウンリンク狭帯域基準信号の送信パワーと前記フィルタリング後の基準信号受信パワーとの間の差に従って、前記パスロスを決定することとを含む。
【０００９】
例示的に、前記方法は、
前記ユーザ機器のプリセットのパラメータ情報の変更に従って、前記プリセットの上位層フィルタ係数を動的に決定することであって、前記プリセットのパラメータ情報は、プリセットの機器性能パラメータ、ベアラサービスのサービスタイプのうちの少なくとも１つを含むことをさらに含む。
【００１０】
例示的に、前記プリセットの上位層フィルタ係数の範囲は、０〜１の値である。
【００１１】
例示的に、前記プリセットの上位層フィルタ係数および前記狭帯域基準信号受信パワーの測定値に従って、フィルタリング後の基準信号受信パワーを決定することは、
値１と前記プリセットの上位層フィルタ係数との差の絶対値と、隣接する前の上位層フィルタリング後の基準信号受信パワーのと積を、第１のパラメータ情報として決定することと、
前記プリセットの上位層フィルタ係数と現在の基準信号受信パワーの測定値との積を、第２のパラメータ情報として決定することと、
前記第１のパラメータ情報と前記第２のパラメータ情報との和を、前記フィルタリング後の基準信号受信パワーとして決定することとを含む。
【００１２】
例示的に、前記ダウンリンク狭帯域基準信号の送信パワーおよび前記狭帯域基準信号受信パワーの測定値に従って、前記基地局と前記ユーザ機器との間のパスロスを決定することは、
前記ダウンリンク狭帯域基準信号の送信パワーと前記狭帯域基準信号受信パワーの測定値との間の差に従って、前記パスロスを決定することを含む。
【００１３】
本開示の実施例の第２の態様によれば、ユーザ機器に配置される、パスロスを決定する装置を提供し、前記ユーザ機器は狭帯域モノのインターネット機器に属し、前記装置は、
ダウンリンク狭帯域基準信号（ＮＲＳ）の送信パワーを決定するように構成される第１の決定モジュールと、
狭帯域基準信号受信パワー（ＮＲＳＲＰ）の測定値を決定するように構成される第２の決定モジュールと、
基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定するように構成されるパスロス推定モジュールとを含む。
【００１４】
例示的に、前記パスロス推定モジュールは、
プリセットの上位層フィルタ係数および前記狭帯域基準信号受信パワーの測定値に従って、フィルタリング後の基準信号受信パワーを決定するように構成されるフィルタパワー決定サブモジュールと、
前記ダウンリンク狭帯域基準信号の送信パワーと前記フィルタリング後の基準信号受信パワーとの間の差に従って、前記パスロスを決定するように構成されるパスロス推定サブモジュールとを含む。
【００１５】
例示的に、前記装置は、
前記ユーザ機器のプリセットのパラメータ情報の変更に従って、前記プリセットの上位層フィルタ係数を動的に決定するように構成されるフィルタ係数決定モジュールであって、前記プリセットのパラメータ情報は、プリセットの機器性能パラメータ、ベアラサービスのサービスタイプのうちの少なくとも１つを含むフィルタ係数決定モジュールをさらに含む。
【００１６】
例示的に、前記プリセットの上位層フィルタ係数の範囲は、０〜１の値である。
【００１７】
例示的に、前記フィルタパワー決定サブモジュールは、
値１と前記プリセットの上位層フィルタ係数との差の絶対値と、隣接する前の上位層フィルタリング後の基準信号受信パワーとの積を、第１のパラメータ情報として決定するように構成される第１のパラメータ決定ユニットと、
前記プリセットの上位層フィルタ係数と現在の基準信号受信パワーの測定値との積を、第２のパラメータ情報として決定するように構成される第２のパラメータ決定ユニットと、
前記第１のパラメータ情報と前記第２のパラメータ情報との和を、前記フィルタリング後の基準信号受信パワーとして決定するように構成されるフィルタパワー決定ユニットとを含む。
【００１８】
例示的に、前記パスロス推定モジュールは、前記ダウンリンク狭帯域基準信号の送信パワーと前記狭帯域基準信号受信パワーの測定値との間の差に従って、前記パスロスを決定するように構成される。
【００１９】
本開示の実施例の第３の態様によれば、コンピュータ命令が記憶された非一時的なコンピュータ読み取り可能な記憶媒体を提供し、前記命令がプロセッサによって実行される時に、上記の第１の態様のいずれかに記載のパスロスを決定する方法のステップを実現する。
【００２０】
本開示の実施例の第４の態様によれば、パスロスを決定する装置を提供し、
プロセッサと、
プロセッサ実行可能な命令を記憶するように構成されるメモリとを含み、
ここで、前記プロセッサは、
ダウンリンク狭帯域基準信号（ＮＲＳ）の送信パワーを決定し、
狭帯域基準信号受信パワー（ＮＲＳＲＰ）の測定値を決定し、
基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定するように構成される。
【発明の効果】
【００２１】
本開示の実施例によって提供される技術的解決策は、以下の有利な効果を含み得る。
【００２２】
本開示では、狭帯域モノのインターネットにおけるＵＥに鑑みて、通常、低データ伝送レート、低速移動または静的状態のシナリオに適用され、基地局による上位層フィルタ係数の構成は、ＵＥの推定精度の改善にほとんど影響を与えず、したがって、基地局が、プリセットの上位層フィルタパラメータを搬送する構成情報をＵＥにリアルタイムで送信する必要がなく、ＵＥが前記プリセットの上位層フィルタパラメータに従って、上位層フィルタ係数を決定するようにし、システムシグナリングオーバーヘッドが効率的に節約され、さらに、前記プリセットの上位層フィルタパラメータを搬送する構成情報の、悪いチャネルの品質による再送信動作の発生も回避し、さらに、システムのシグナリングオーバーへットを節約するだけでなく、基地局の構成情報ロードおよび電力消費も節約することができる。対応的に、ＵＥは、基地局によって送信された、プリセットの上位層フィルタパラメータを搬送する構成情報を継続的に検出する必要がなく、システム構成情報を受信することのために消費されるＵＥの電力消費を節約し、５ＧネットワークでのＵＥのユーザ体験を向上させる。加えて、ＵＥはパスロスを推定するプロセスで少なくとも１つのシステム構成情報の受信時間を節約するため、アップリンク送信パワーの決定効率を向上させることができ、さらに、アップリンクサービスデータの伝送遅延を短縮し、情報の伝送効率を向上させ、機器性能を向上させることができる。
【図面の簡単な説明】
【００２３】
ここでの図面は、本明細書に組み込まれてその一部を構成し、本発明と一致する実施例を示し、明細書とともに本発明の原理を説明するために使用される。
【図１】一例示的な実施例によって示されたパスロスを決定する方法のフローチャートである。
【図２】本開示の一例示的な実施例によって示された別のパスロスを決定する方法のフローチャートである。
【図３】本開示の一例示的な実施例によって示された別のパスロスを決定する方法のフローチャートである。
【図４】本開示の一例示的な実施例によって示されたパスロスを決定する装置のブロック図である。
【図５】本開示の一例示的な実施例によって示された別のパスロスを決定する装置のブロック図である。
【図６】本開示の一例示的な実施例によって示された別のパスロスを決定する装置のブロック図である。
【図７】本開示の一例示的な実施例によって示された別のパスロスを決定する装置のブロック図である。
【図８】本開示の一例示的な実施例によって示された別のパスロスを決定する装置の一例示的な構造図である。
【発明を実施するための形態】
【００２４】
例示的な実施例を詳細に説明し、その例は図面に示す。特に明記しない限り、以下の説明が図面に関する場合、異なる図面の同じ数字は同じまたは類似の要素を表す。以下の例示的な実施例で説明された実施形態は、本発明と一致するすべての実施形態を表すものではない。むしろ、添付された特許請求に詳述されたように、本発明の特定の態様と一致する装置および方法の例である。
【００２５】
本開示に関する実行主体は、狭帯域モノのインターネット（ＮＢ−ＩｏＴ）におけるユーザ機器（ＵＥ：Ｕｓｅｒ  Ｅｑｕｉｐｍｅｎｔ）および基地局を含み、ここで、基地局は、大規模なアンテナアレイが配置された基地局、サブ基地局などであり得る。ユーザ機器（ＵＥ）は、基地局に対して低速移動または静止するユーザ機器、ユーザノード、タブレットＰＣ、ウェアラブル機器、スマートメータ、スマートホーム機器、スマートシティ機器などであり得る。具体的な実現プロセスでは、基地局およびユーザ機器はそれぞれ独立した同時に、互いに連絡して、本開示によって提供された技術案を共同で実現する。
【００２６】
本開示では、ＵＥは、アップリンクサービスデータを基地局に伝送する前に、基地局の構成情報に従って、各基本情報伝送単位の物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）の送信パワーを決定する必要がある。ここで、前記基本情報伝送単位は、サブフレーム、スロット（ｓｌｏｔ）、ミニスロット（ｍｉｎｉ−ｓｌｏｔ）、シンボル（ｓｙｍｂｏｌ）などの伝送リソース単位であってもよい。上記のＵＥの送信パワーを決定するプロセス、即ち、パワーを制御するプロセスでは、まず、基地局とＵＥとの間のパスロス（ｐａｔｈ  ｌｏｓｓ、パスロスと略称する）を決定する必要がある。
【００２７】
図１の一例示的な実施例によって示されたパスロスを決定する方法のフローチャートを参照すると、５Ｇ狭帯域モノのインターネットのＵＥに適用され、前記ＵＥは大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）機器であってもよく、前記方法は、次のステップを含み得る。
【００２８】
ステップ１１において、ダウンリンク狭帯域基準信号（ＮＲＳ）の送信パワーを決定する。
【００２９】
本開示の実施例では、５Ｇ狭帯域モノのインターネットにおけるＵＥが、自体の送信パワーを決定する場合、まず、基地局によって決定された基準信号パワー（ＲＳＰ：ｒｅｆｅｒｅｎｃｅ  Ｓｉｇｎａｌ  Ｐｏｗｅｒ）を知る必要があり、前記基準信号パワーとは、狭帯域ダウンリンク基準信号（ｎａｒｒｏｗ  ｂａｎｄ  ｒｅｆｅｒｅｎｃｅ  ｓｉｇｎａｌ、ＮＲＳ）の送信パワーを指す。
【００３０】
一実施例において、ＵＥは、基地局によって送信されたプリセットの構成情報、例えば、ＳＩＢ２などのセル基地局によってブロードキャストされたプリセットのシステム情報を介して、前記基準信号パワーを取得することができる。
【００３１】
ステップ１２において、狭帯域基準信号受信パワー（ＮＲＳＲＰ）の測定値を決定する。
【００３２】
ＬＴＥシステムの基準信号受信パワー（ＲＳＲＰ：ｒｅｆｅｒｅｎｃｅ  ｓｉｇｎａｌ  ｒｅｃｅｉｖｅｄ  ｐｏｗｅｒ）測定値の取得方式と同様に、本開示の実施例では、ＵＥの物理層は、単位時間内で受信したダウンリンク基準信号のエネルギに従って、狭帯域基準信号受信パワー（ＮＲＳＲＰ：ｎａｒｒｏｗ  ｂａｎｄ  ｒｅｆｅｒｅｎｃｅ  ｓｉｇｎａｌ  ｒｅｃｅｉｖｅｄ  ｐｏｗｅｒ）の測定値を決定することができる。ここで、前記ダウンリンク基準信号は、基地局によって送信された、アップリンクチャネルの品質を推定するために使用される基準信号であり、本開示では、ＵＥは前記ダウンリンク基準信号受信パワーに従って、アップリンクチャネル品質を推定し、さらに、基地局と情報を伝送する時に必要とする送信パワーを決定することができる。前記ＮＲＳＲＰの測定値は、ＵＥの物理層によって測定されたダウンリンク基準信号の実際の受信パワーであると理解することができる。
【００３３】
ステップ１３において、基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定する。
【００３４】
ここで、前記基地局によって送信されたプリセットの上位層フィルタパラメータとは、ＵＥの上位層フィルタ係数を決定するために使用されるパラメータ値を指す。Ｍとして示されると仮定する。関連技術では、ＵＥは、基地局によって送信された前記プリセットの上位層フィルタパラメータＭを受信して自体の上位層フィルタ係数を決定する必要がある。
【００３５】
本開示の実施例では、ＵＥは、パスロスを決定するプロセスで、基地局がプリセットの上位層フィルタパラメータを送信する必要がなく、即ち、ＵＥは、基地局からより多くの構成情報を受信する必要がなく、基地局とＵＥとの間のパスロスの推定を実現し、基地局の構成情報ロードを低減し、ＵＥが基地局によって送信された前記プリセットの上位層フィルタパラメータを検出する必要がないため、電力消費を節約する。
【００３６】
本開示では、前記ステップ１３の実施は、少なくとも以下の２つの状況を含み得る。
【００３７】
最初の状況として、ＵＥの物理層によって取得された基準信号受信パワーの測定値に対して上位層フィルタ処理を実施する必要がある。
【００３８】
図２の一例示的な実施例によって示された別のパスロスを決定する方法のフローチャートを参照すると、前記ステップ１３は、次のステップを含み得る。
【００３９】
ステップ１３１において、プリセットの上位層フィルタ係数および前記狭帯域基準信号受信パワーの測定値に従って、フィルタリング後の基準信号受信パワーを決定する。
【００４０】
ここで、ＵＥの上位層とは、無線リソース制御（ＲＲＣ：Ｒａｄｉｏ  Ｒｅｓｏｕｒｃｅ  Ｃｏｎｔｒｏｌ）層など、通信プロトコルで合意されたＵＥの物理層より上位である層を指す。本開示の実施例では、ＵＥの物理層は、狭帯域基準信号受信パワー（ＮＲＳＲＰ）の測定値を取得した後、それをＲＲＣ層などのＵＥの上位層に送信し、上位層フィルタを介して前記狭帯域基準信号受信パワーの測定値に対してフィルタ処理を実施することにより、フィルタリング後の基準信号受信パワーを取得し、ｈｉｇｈｅｒ  ｌａｙｅｒ  ｆｉｌｔｅｒｅｄ  ＮＲＳＲＰと表される。
【００４１】
前記ｈｉｇｈｅｒ  ｌａｙｅｒ  ｆｉｌｔｅｒｅｄ  ＮＲＳＲＰを簡略的にＦｎと表すと、その計算プロセスは、上位層フィルタのフィルタ係数αに関し、本開示では、前記上位層フィルタ係数αはＵＥ自体によって決定され、基地局によって送信されたプリセットの上位層フィルタパラメータに従ってリアルタイムで決定する必要がない。
【００４２】
図３の一例示的な実施例によって示された別のパスロスを決定する方法のフローチャートを参照すると、前記ステップ１３１は、次のステップを含み得る。
【００４３】
ステップ１３１１において、値１と前記プリセットの上位層フィルタ係数との差の絶対値と、隣接する前の上位層フィルタリング後の基準信号受信パワーとの積を、第１のパラメータ情報として決定する。
【００４４】
本開示では、ＵＥ自体によって決定されたプリセットの上位層フィルタ係数αの範囲は０〜１である。ここで、前記隣接する前の上位層フィルタリング後の基準信号受信パワーとは、前の隣接時間でＵＥによって決定された上位層フィルタリング後の基準信号受信パワーを指す。
【００４５】
ステップ１３１２において、前記プリセットの上位層フィルタ係数と現在の基準信号受信パワーの測定値との積を、第２のパラメータ情報として決定する。
【００４６】
ステップ１３１３において、前記第１のパラメータ情報と前記第２のパラメータ情報との和を、前記フィルタリング後の基準信号受信パワーとして決定する。
【００４７】
上記の計算プロセスは、以下の式（１）を使用して表すことができる。
Ｆｎ＝（１−α）Ｆｎ−１＋αＭｎ        式（１）
【００４８】
ここで、αはＵＥのプリセットの上位層フィルタ係数を示し、Ｆｎは現在のフィルタリング後の基準信号受信パワーを示し、Ｆｎ−１は隣接する前の上位層フィルタリング後の基準信号受信パワーを示し、ＭｎはＵＥの物理層の現在取得したＮＲＳＲＰ測定値を示す。
【００４９】
例示的に、スマートメータなどのＵＥのプリセットの上位層フィルタ係数αが０．５であると仮定すると、現在のｈｉｇｈｅｒ  ｌａｙｅｒ  ｆｉｌｔｅｒｅｄ  ＮＲＳＲＰは、以下の式（２）を使用して表すことができる。
Ｆｎ＝０．５＊（Ｆｎ−１＋Ｍｎ）        式（２）
【００５０】
ステップ１３２において、前記ダウンリンク狭帯域基準信号の送信パワーと前記フィルタリング後の基準信号受信パワーとの間の差に従って、前記パスロスを決定する。
【００５１】
対応的に、ＵＥは、式（３）を使用してパスロスを推定することができる。式（３）は、PLc=nrs-Power + nrs-PowerOffsetNonAnchor - higher layer filtered NRSRPであり、ここで、PLcはパスロスを示し、nrs-Powerは基地局によって送信された狭帯域基準信号の送信パワーを示し、nrs-PowerOffsetNonAnchorは狭帯域基準信号非アンカーパワーオフセットを示し、higher layer filtered NRSRPは上位層フィルタリング後の狭帯域基準信号パワーを示す。
【００５２】
ここで、nrs-Powerおよびnrs-PowerOffsetNonAnchorの２つの物理量は、ＲＲＣ層などのＵＥの上位層が、基地局によって受信された関連構成情報から取得される。
【００５３】
本開示の実施例では、ＵＥがパスロスを決定するプロセスは以下の通りである。物理層が受信したダウンリンク基準信号に従って、現在の狭帯域基準信号受信パワー（ＮＲＳＲＰ）の測定値、即ちＭｎを決定した後、前記現在の狭帯域基準信号受信パワーの測定値をＲＲＣ層などの上位層に送信してフィルタ処理が行われ、フィルタリング後の基準信号受信パワーの測定値を取得し、その後、ＵＥの物理層が上記の式（３）に従って現在の基地局とＵＥとの間のパスロスを推定するように、前記上位層フィルタリング後のＮＲＳＲＰを物理層に返信し、さらに、ＰＵＳＣＨに対するＵＥの送信パワーを決定する。
【００５４】
本開示の別の実施例において、ＵＥは、ユーザ機器のプリセットのパラメータ情報の変更に従って、前記プリセットの上位層フィルタ係数を動的に決定することもできる。ここで、前記プリセットのパラメータ情報は、プリセットの機器性能パラメータ、ベアラサービスのサービスタイプなどの情報のうちの少なくとも１つを含む。ここで、前記プリセットの機器性能パラメータは、ＵＥの移動速度などのパラメータであってもよく、前記ベアラサービスのサービスタイプは前記ｍＭＴＣなどのサービスタイプであってもよい。
【００５５】
本開示の一実施例において、ＵＥは、ＵＥの送信パワーに対する前記プリセットのパラメータ情報の影響に従って、値０〜１の間で自体の上位層フィルタ係数の大きさを動的に調整することができる。
【００５６】
一例において、上記の決定プロセスは以下の通りであり得る。前記プリセットのパラメータ情報に従って１つの係数影響値を決定し、前記係数影響値は前記ユーザ機器の上位層フィルタ係数を決定するために使用され、前記係数影響値をプリセットの閾値と比較して、前記係数影響値が前記プリセットの閾値より小さい場合、プリセットの第１の値に従って前記上位層フィルタ係数を決定し、前記係数影響値が前記プリセットの閾値より大きいか等しい場合、プリセットの第２の値に従って前記上位層フィルタ係数を決定することができる。ここで、前記プリセットの第１の値およびプリセットの第２の値は、値０と１との間のプリセットの値に属し、例えば、それぞれ０．３、０．６である。
【００５７】
例示的に、ＵＥがプリセットの機能性能パラメータに従って、前記プリセットの上位層フィルタ係数を動的に調整する場合、前記プリセットの機器性能パラメータがＵＥの移動速度であると仮定すると、その調整プロセスは以下の通りである。ＵＥの現在の移動速度を決定し、前記現在の移動速度がプリセットの速度閾値より小さい場合、以下の任意の方式を使用してプリセットの上位層フィルタ係数を決定することができる。
【００５８】
方式１として、ＵＥのプリセットのフィルタ係数の値を０．３などのプリセットの第１の値として決定する。
【００５９】
方式２として、前記第１の値は、０〜０．３などの終点値の１つのプリセットの値の範囲であり、プリセットルールに応じて、現在の移動速度に従って、０．２などの１つの上位層フィルタ係数を動的に決定する。
【００６０】
同様に、前記現在の移動速度が前記プリセットの速度閾値より大きいか等しい場合、上記の方式に従って、０．６などのプリセットの第２の値として決定することができ、または前記第２の値が０．３〜０．６などの終点値の別のプリセットの値範囲であり、プリセットルールに従って、０．４５などの１つの上位層フィルタ係数を決定する。
【００６１】
上記のように、ＵＥは、現在のベアラサービスのサービスタイプに従って、値０と１との間で前記プリセットの上位層フィルタ係数を動的に調整し、または、ＵＥの機器性能パラメータおよびサービスタイプに従って、プリセットの重みに応じて１つの係数影響値を計算し、前記係数影響値に従って、プリセットルールに応じて、値０と１との間でＵＥの上位層フィルタ係数を動的に決定することができる。
【００６２】
例えば、ＵＥの主なサービスタイプが、低速または静的状態であるサービス、例えば、メータの読み取りや監視などのサービスである場合、ＵＥは、０．２などの低い値を使用して前記プリセットの上位層フィルタ係数の値を決定することができ、ＵＥの主なサービスタイプが、中高速でのサービス、例えば、車両インターネットや軌道監視などのサービスである場合、０．６などの高い値を使用して前記プリセットの上位層フィルタ係数の値を決定することができる。
【００６３】
２番目の状況として、ＵＥは、物理層によって測定された狭帯域ダウンリンク基準信号測定値に従って、パスロスを直接に推定する。
【００６４】
本開示の実施例では、ＵＥは前記ダウンリンク狭帯域基準信号の送信パワーと前記狭帯域基準信号受信パワーの測定値との間の差に従って、前記パスロスを決定することができる。
【００６５】
本開示の実施例では、上記の式（１）のα値は１に等しいこととして理解することができる。対応するパスロス推定は以下の式（４）を使用して表される。
PLc=nrs-Power + nrs-PowerOffsetNonAnchor - NRSRP      式（４）
【００６６】
本開示の実施例では、ＵＥがパスロスを決定するプロセスは、物理層が、受信したダウンリンク基準信号に従って、現在の狭帯域基準信号受信パワー（ＮＲＳＲＰ）の測定値、即ちＭｎを決定し、ＲＲＣ層などの上位層から基地局によって送信されたnrs-Power、nrs-PowerOffsetNonAnchor情報を取得し、その後、ＵＥの物理層は、上記の式（４）に従って、現在の基地局とＵＥとの間のパスロスを推定し、さらに、ＰＵＳＣＨに対するＵＥの送信パワーを決定する。
【００６７】
本開示では、狭帯域モノのインターネットにおけるＵＥの特徴に鑑みて、即ち、低データ伝送レート、低速移動または静的状態のシナリオに適用され、基地局による上位層フィルタ係数の構成は、ＵＥの推定精度の改善にほとんど影響を与えず、基地局が、プリセットの上位層フィルタパラメータを搬送する構成情報をＵＥにリアルタイムで送信する必要がなく、ＵＥが前記プリセットの上位層フィルタパラメータに従って、上位層フィルタ係数を決定するようにし、システムシグナリングオーバーヘッドが効率的に節約され、さらに、前記プリセットの上位層フィルタパラメータを搬送する構成情報の、悪いチャネルの品質による再送信動作の発生も回避し、さらに、システムのシグナリングオーバーへットを節約するだけでなく、基地局の構成情報ロードおよび電力消費も節約することができる。対応的に、ＵＥは、基地局によって送信された、プリセットの上位層フィルタパラメータを搬送する構成情報を継続的に検出する必要がなく、システム構成情報を受信することのために消費されるＵＥの電力消費を節約し、特に、バッテリによって電力が供給される、スマートメータ、ウェアラブル機器などのユーザ機器（ＵＥ）は、ＵＥの電源の寿命を延長することができ、ＵＥの５Ｇネットワークでのユーザ体験を向上させる。加えて、ＵＥはパスロスを推定するプロセスで少なくとも１つのシステム構成情報の受信時間を節約するため、アップリンク送信パワーの決定効率を向上させることができ、さらに、アップリンクサービスデータの伝送遅延を短縮し、情報の伝送効率を向上させ、機器性能を向上させることができる。
【００６８】
前述した各方法の実施例において、簡単な説明のために、それらを一連の動作の組み合わせとして表現するが、当業者は、本開示に応じると、いくつかのステップは他の順序で、または同時に実行することができるため、本開示が説明された動作の順序に限定されないことを知っているはずである。
【００６９】
さらに、当業者は、明細書で説明された実施例のすべては代替実施例に属し、関する動作およびモジュールは本開示によって必ずしも必要とされないことも知っているはずである。
【００７０】
前記アプリケーション機能実現方法の実施例に対応し、本開示はプリケーション機能実現装置および対応する端末の実施例をさらに提供する。
【００７１】
図４の一例示的な実施例によって示されたパスロスを決定する装置のブロック図を参照すると、ユーザ機器に配置され、前記ユーザ機器は狭帯域モノのインターネット機器に属し、前記装置は、
ダウンリンク狭帯域基準信号（ＮＲＳ）の送信パワーを決定するように構成される第１の決定モジュール２１と、
狭帯域基準信号受信パワー（ＮＲＳＲＰ）の測定値を決定するように構成される第２の決定モジュール２２と、
基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定するように構成されるパスロス推定モジュール２３とを含み得る。
【００７２】
図５の一例示的な実施例によって示されたパスロスを決定する装置のブロック図を参照すると、図４に示された装置の実施例の基で、前記パスロス推定モジュール２３は、
プリセットの上位層フィルタ係数および前記狭帯域基準信号受信パワーの測定値に従って、フィルタリング後の基準信号受信パワーを決定するように構成されるフィルタパワー決定サブモジュール２３１と、
前記ダウンリンク狭帯域基準信号の送信パワーと前記フィルタリング後の基準信号受信パワーとの間の差に従って、前記パスロスを決定するように構成されるパスロス推定サブモジュール２３２とを含み得る。
【００７３】
図６の一例示的な実施例によって示されたパスロスを決定する装置のブロック図を参照すると、図４に示された装置の実施例の基で、前記装置は、
前記ユーザ機器のプリセットのパラメータ情報の変更に従って、前記プリセットの上位層フィルタ係数を動的に決定するように構成されるフィルタ係数決定モジュール２０であって、前記プリセットのパラメータ情報は、プリセットの機器性能パラメータ、ベアラサービスのサービスタイプのうちの少なくとも１つを含むフィルタ係数決定モジュール２０をさらに含み得る。
【００７４】
本開示の実施例において、前記プリセットの上位層フィルタ係数の範囲は、０〜１の値である。
【００７５】
図７の一例示的な実施例によって示されたパスロスを決定する装置のブロック図を参照すると、図５に示された装置の実施例の基で、前記フィルタパワー決定サブモジュール２３１は、
値１と前記プリセットの上位層フィルタ係数との差の絶対値と、隣接する前の上位層フィルタリング後の基準信号受信パワーとの積を、第１のパラメータ情報として決定するように構成される第１のパラメータ決定ユニット２３１１と、
前記プリセットの上位層フィルタ係数と現在の基準信号受信パワーの測定値との積を、第２のパラメータ情報として決定するように構成される第２のパラメータ決定ユニット２３１２と、
前記第１のパラメータ情報と前記第２のパラメータ情報との和を、前記フィルタリング後の基準信号受信パワーとして決定するように構成されるフィルタパワー決定ユニット２３１３とを含み得る。
【００７６】
本開示の別の装置の実施例において、前記パスロス推定モジュール２３は、前記ダウンリンク狭帯域基準信号の送信パワーと前記狭帯域基準信号受信パワーの測定値との間の差に従って、前記パスロスを決定するように構成される。
【００７７】
装置の実施例において、それらは基本的に方法の実施例に対応するので、関連する部分は方法の実施例の説明の部分を参照することができる。上記で説明された装置の実施例は例示的なものに過ぎず、ここで、前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部モジュールを選択して本開示の技術案の目的を実現することができる。当業者は、創造的な努力なしに、理解して実施することができる。
【００７８】
対応的に、一態様はパスロスを決定する装置を提供し、プロセッサと、プロセッサ実行可能な命令を記憶するように構成されるメモリとを含み、
ここで、前記プロセッサは、
ダウンリンク狭帯域基準信号（ＮＲＳ）の送信パワーを決定し、
狭帯域基準信号受信パワー（ＮＲＳＲＰ）の測定値を決定し、
基地局によって送信されたプリセットの上位層フィルタパラメータが受信されない場合、前記ダウンリンク狭帯域基準信号の送信パワーおよび前記狭帯域基準信号受信パワーの測定値に従って、前記基地局と前記ユーザ機器との間のパスロスを決定するように構成される。
【００７９】
図８は、一例示的な実施例によって示されたパスロスを決定する装置８００の例示的な構造図である。例えば、装置８００は、５Ｇネットワークのユーザ機器であってもよく、具体的には、携帯電話、コンピュータ、デジタル放送端末、メッセージング機器、ゲームコンソール、タブレット機器、医療機器、フィットネス機器、携帯情報端末、ウェアラブル機器など、例えば、スマートウォッチ、スマートグラス、スマートブレスレット、スマートランニングシューズ、スマートメーター、スマートホーム機器などのなどであってもよく、それぞれは、５Ｇネットワークにおける強化されたモバイルブロードバンド（ｅＭＢＢ：ｅｎｈａｎｃｅｄ  Ｍｏｂｉｌｅ  Ｂｒｏａｄ  Ｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）、超高信頼・低遅延通信（ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ）などのタイプの機器に属することができる。
【００８０】
図８を参照すると、装置８００は、処理コンポーネント８０２、メモリ８０４、電力コンポーネント８０６、マルチメディアコンポーネント８０８、オーディオコンポーネント８１０、入力／出力（Ｉ／Ｏ）インターフェース８１２、センサコンポーネント８１４、及び通信コンポーネント８１６のうちの１つまたは複数のコンポーネットを含むことができる。
【００８１】
処理コンポーネント８０２は、一般的に、ディスプレイ、電話、データ通信、カメラ操作及び記録操作に関する操作のような装置８００の全般的な操作を制御する。処理コンポーネント８０２は、前記方法のステップの全てまたは一部を完了するために、１つまたは複数のプロセッサ８２０を含んで命令を実行することができる。加えて、処理コンポーネント８０２は、処理コンポーネント８０２と他のコンポーネントの間の相互作用を容易にするために、１つまたは複数のモジュールを含むことができる。例えば、処理コンポーネント８０２は、マルチメディアコンポーネント８０８と処理コンポーネント８０２の間の相互作用を容易にするために、マルチメディアモジュールを含むことができる。
【００８２】
メモリ８０４は、機器８００での操作をサポートするために、様々なタイプのデータを格納するように構成される。これらのデータの例には、装置８００で動作する任意のアプリケーションまたは方法の指示、連絡先データ、電話帳データ、メッセージ、写真、ビデオ等が含まれる。メモリ８０４は、スタティックランダムアクセスメモリ（ＳＲＡＭ）、電気的に消去可能なプログラム可能な読み取り専用メモリ（ＥＥＰＲＯＭ）、消去可能なプログラム可能な読み取り専用メモリ（ＥＰＲＯＭ）、プログラム可能な読み取り専用メモリ（ＰＲＯＭ）、磁気メモリ、フラッシュメモリ、磁気ディスクまたは光ディスクなど、あらゆるタイプの揮発性または不揮発性ストレージデバイスまたはそれらの組み合わせによって実現されることができる。
【００８３】
電力コンポーネント８０６は、装置８００の様々なコンポーネントに電力を提供する。電力コンポーネント８０６は、電力管理システム、１つまたは複数の電源、及び装置８００の電力の生成、管理および分配に関する他のコンポーネントを含むことができる。
【００８４】
マルチメディアコンポーネント８０８は、前記装置８００とユーザとの間の、出力インターフェースを提供するスクリーンを含む。いくつかの実施例において、スクリーンは、液晶ディスプレイ（ＬＣＤ）及びタッチパネル（ＴＰ）を含み得る。スクリーンがタッチパネルを含む場合、スクリーンは、ユーザからの入力信号を受信するためのタッチスクリーンとして具現されることができる。タッチパネルは、タッチ、スワイプ及びタッチパネルでのジェスチャーを感知するための１つまたは複数のタッチセンサを含む。前記タッチセンサは、タッチまたはスワイプ操作の境界を感知するだけでなく、前記タッチまたはスワイプ操作に関連する持続時間及び圧力も検出することができる。いくつかの実施例において、マルチメディアコンポーネント８０８は、一つのフロントカメラ及び／またはリアカメラを含む。機器８００が、撮影モードまたはビデオモードなどの動作モードにあるとき、フロントカメラおよび／またはリアカメラは、外部のマルチメディアデータを受信することができる。各フロントカメラおよびリアカメラは、固定光学レンズシステムであり、または焦点距離と光学ズーム機能を持つことができる。
【００８５】
オーディオコンポーネント８１０は、オーディオ信号を出力および／または入力するように構成される。例えば、オーディオコンポーネント８１０は、１つのマイクロフォン（ＭＩＣ）を含み、装置８００が通話モード、録音モードおよび音声認識モードなどの動作モードにあるとき、マイクロフォンは、外部オーディオ信号を受信するように構成される。受信されたオーディオ信号は、さらに、メモリ８０４に記憶されてもよく、または通信コンポーネント８１６によって送信されてもよい。いくつかの実施例において、オーディオコンポーネント８１０は、オーディオ信号を出力するためのスピーカをさらに含む。
【００８６】
Ｉ／Ｏインターフェース８１２は、処理コンポーネント８０２と周辺インターフェースモジュールとの間にインターフェースを提供し、前記周辺インターフェースモジュールは、キーボード、クリックホイール、ボタンなどであってもよい。これらのボタンは、ホームボタン、ボリュームボタン、スタートボタン、ロックボタンを含み得るが、これらに限定されない。
【００８７】
センサコンポーネント８１４は、装置８００に各態様の状態の評価を提供するための１つまたは複数のセンサを含む。例えば、センサコンポーネント８１４は、機器８００のオン／オフ状態と、装置８００のディスプレイやキーパッドなどのコンポーネントの相対的な位置づけを検出することができ、センサコンポーネント４１４は、装置８００または装置８００のコンポーネントの位置の変化、ユーザとの装置８００の接触の有無、装置８００の向きまたは加速／減速、及び装置８００の温度の変化も検出することができる。センサコンポ―ネット８１４は、物理的接触なしに近くの物体の存在を検出するように構成された近接センサを含むことができる。センサコンポーネント８１４は、撮像用途で使用するためのＣＭＯＳまたはＣＣＤ画像センサなどの光センサも含むことができる。いくつかの実施例において、前記センサコンポーネント８１４は、加速度センサ、ジャイロスコープセンサ、磁気センサ、圧力センサまたは温度センサをさらに含むことができる。
【００８８】
通信コンポーネント８１６は、装置８００と他の装置の間の有線または無線通信を容易にするように構成される。装置８００は、ＷｉＦｉ、２Ｇまたは３Ｇ、またはそれらの組み合わせなどの通信規格に基づく無線ネットワークにアクセスすることができる。一例示的な実施例において、通信コンポーネント８１６は、放送チャンネルによって外部放送管理システムからの放送信号または放送関連情報を受信する。一例示的な実施例において、前記通信コンポーネント８１６は、短距離通信を促進するための近距離通信（ＮＦＣ）モジュールをさらに含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて具現されることができる。
【００８９】
例示的な実施例において、装置８００は、前記方法を実行するために、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子によって具現されることができる。
【００９０】
例示的な実施例において、命令を含むメモリ８０４などの、命令を含む非一時的な読み取り可能な記憶媒体をさらに提供し、前記命令は、前記方法を完了するために、装置８００のプロセッサ８２０によって実行されることができる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピディスクおよび光学データ記憶装置などであり得る。
【００９１】
当業者は、明細書を考慮して、本明細書に開示される発明を実施した後、本開示の他の実施形態を容易に想到し得るであろう。本出願は、本開示のあらゆる変形、応用または適応性変化を網羅することを意図し、これらの変形、応用または適応性変化は、本開示の普通の原理に準拠し、本開示によって開示されない本技術分野における公知知識または従来の技術的手段を含む。明細書と実施例は、例示としてのみ考慮され、本開示の実施例の真の範囲及び思想は添付の特許請求の範囲によって示される。
【００９２】
本開示は、前述した既に説明し且つ図面に示した正確な構造に限定されるものではなく、その範囲から逸脱することなく様々な修正及び変更を行うことができることを理解されたい。本開示の範囲は、添付の特許請求の範囲によってのみ制限される。
【図１】
2021506188.tif 000003
【図２】
2021506188.tif 000004
【図３】
2021506188.tif 000005
【図４】
2021506188.tif 000006
【図５】
2021506188.tif 000007
【図６】
2021506188.tif 000008
【図７】
2021506188.tif 000009
【図８】
2021506188.tif 000010
【国際調査報告】
2021506188.tif 000011
2021506188.tif 000012
2021506188.tif 000013
2021506188.tif 000014